(57)【要約】【課題】所望の領域に関して運動アーチファクトのないＣＴ画像を形成可能にする。【解決手段】ＣＴ画像形成のために検査すべき生物の身体の周りを移動するＸ線源を備えたＣＴ装置により生物の周期的に運動する器官のＣＴ画像を形成する方法であって、その器官が休止相および運動相を持つ領域を有し、その器官の異なる領域の休止が異なる時点で発生する器官のＣＴ画像形成方法において、被検体の周りを回転するＸ線源の少なくとも１回転中かつ運動の少なくとも１周期に等しい持続時間の期間中に、画像形成に用いる多数の投影を撮像し、投影に対応するデータが器官のそれぞれの関心領域における休止相の期間中に得られたか又は運動相の期間中に得られたかの観点から該データを分析し、器官のそれぞれの関心領域における休止相の期間中に得られたデータのみを使用して器官の画像を再構成する。【選択図】図８
2004121840.tif 000002
【特許請求の範囲】
【請求項１】
　ＣＴ画像形成のために検査すべき生物の身体の周りを移動するＸ線源を備えたＣＴ装置により生物の周期的に運動する器官のＣＴ画像を形成する方法であって、器官が休止相および運動相を持つ領域を有し、器官の異なる領域の休止相が異なる時点で発生する器官のＣＴ画像形成方法において、
ａ）被検体の周りを回転するＸ線源の少なくとも１回転中かつ運動の少なくとも１周期に等しい持続時間中に、画像形成に用いる複数の投影を撮像し、
ｂ）投影に対応するデータを、このデータが器官のそれぞれの関心領域における休止相の期間中に得られたか又は運動相の期間中に得られたかの観点から分析し、
ｃ）器官のそれぞれの関心領域における休止相の期間中に得られたデータのみを使用して器官の画像を再構成する、
ことを特徴とする周期的に運動する器官のＣＴ画像形成方法。
【請求項２】
　投影に対応するデータの分析は、器官の複数の関心領域に関して、該データが器官のそれぞれの関心領域における休止相の期間中に得られたか又は運動相の期間中に得られたかの観点から該データを分析することを含み、器官の全ての関心領域に関して、器官のそれぞれの関心領域における休止相の期間中に得られたデータのみを使用して器官の１つの画像がそれぞれ再構成され、器官の全ての関心領域をそれぞれの休止相で含んでいる画像が、器官の個々の関心領域における休止相を表す画像から形成されることを特徴とする請求項１記載の方法。
【請求項３】
　投影に対応するデータが器官のそれぞれの関心領域における休止相の期間中に得られたか又は運動相の期間中に得られたかの観点から行われる該データの分析は、器官の関心領域を表示する画像範囲について一連の短い連続するテスト画像における運動アーチファクトを検出することを含み、器官のそれぞれの関心領域を表示する画像範囲において少なくともほぼ運動アーチファクトのないテスト画像に寄与したデータが、それぞれの関心領域における休止相の期間中に得られたデータとして見なされることを特徴とする請求項１又は２記載の方法。
【請求項４】
　運動アーチファクトを検出する際、線状アーチファクトおよび／または二重輪郭が運動アーチファクトを示唆するものとして考慮されることを特徴とする請求項３記載の方法。
【請求項５】
　運動アーチファクトの検出は連続するテスト画像の減算によって得られた差像を基にして行なわれることを特徴とする請求項３又は４に記載の方法。
【請求項６】
　テスト画像の再構成が低減した計算パワーおよび／または分解能でおよび／または部分回転再構成として行なわれることを特徴とする請求項３乃至５の１つに記載の方法。
【請求項７】
　画像形成に用いられる複数の投影の撮像と同時に、器官の周期的な運動を反映する生理学的関数を表わす信号の検出が行なわれ、投影に対応するデータが器官の関心領域における休止相の領域内で得られたか又は運動相の領域内で得られたかの観点から行われる該データの分析は、生理学的関数を表わす信号の時間的経過に対するデータの時間的割り付けを含み、それぞれの関心領域が休止相にあることを示す信号の経過を有する時間インターバル中に得られたデータが、器官のそれぞれの関心領域における休止相の期間中に得られたデータとして見なされることを特徴とする請求項１記載の方法。
【請求項８】
　心臓のＣＴ画像を形成するために、器官の周期的な運動を反映する生理学的関数を表す信号として生物の心電図が検出されることを特徴とする請求項１乃至７の１つに記載の方法。
【請求項９】
　投影の撮像中に生物の心電図が検出され、心臓のそれぞれの関心領域に関して、それぞれ２つの連続する心電図Ｒ波の間にある利用可能な少なくとも１つの時間インターバルが同定され、その利用可能な時間インターバル中に得られたデータが休止相の期間中に得られたものとして画像再構成に利用されることを特徴とする請求項８記載の方法。
【請求項１０】
　利用可能な時間インターバルとして、それぞれの心周期の予め与えられた第１の部分をそれぞれの心周期を導入する心電図Ｒ波の後に開始しそれぞれの心周期の予め定められた第２の部分に等しい持続時間を有する時間インターバルが同定されることを特徴とする請求項９記載の方法。
【請求項１１】
　生理学的関数を表わす信号に対して閾値基準が設定され、その閾値基準が満たされた際には器官のそれぞれの関心領域が休止相にあり、画像形成に必要な投影の撮像のために、閾値基準が満たされている時間中のみＸ線源が作動させられることを特徴とする請求項７乃至１０の１つに記載の方法。
【請求項１２】
　検査すべき生物の周りを移動するＸ線源を備えたＣＴ装置であって、
　ＣＴ装置は、検査すべき生物の周りを回転するＸ線源の少なくとも１回転中かつ生物の周期的に運動する器官における運動の少なくとも１周期に等しい持続時間中に、複数の投影を撮像し、
　第１の作動様式において、ＣＴ装置はテスト画像を投影から再構成し、ＣＴ装置は、テスト画像の表示手段と、テスト画像に運動アーチファクトなしのしるしを付すことができる入力手段とを有し、ＣＴ装置は運動アーチファクトなしとして同定されたテスト画像を基にして休止相の期間中のデータの取得を可能にする少なくとも１つの利用可能な時間インターバルを同定し、
　第２の作動様式において、ＣＴ装置は画像形成に用いられるデータを取得し、休止相の期間中に取得されたデータのみを画像再構成に利用する、
ことを特徴とするＣＴ装置。
【発明の詳細な説明】
【技術分野】
【０００１】
　本発明は、ＣＴ画像形成のために検査すべき生物の身体の周りを移動するＸ線源を備えたＣＴ装置により生物の周期的に運動する器官のＣＴ画像を形成する方法であって、器官が休止相および運動相を持つ領域を有し、器官の異なる領域の休止相が異なる時点で発生し、器官の画像を再構成するために、被検体の周りを回転するＸ線源の少なくとも１回転中にかつ運動の少なくとも１周期に等しい持続時間中に、画像形成に用いる複数の投影を撮像する、周期的に運動する器官のＣＴ画像形成方法に関する。さらに、本発明はこの方法を実施するためのＣＴ装置に関する。
【背景技術】
【０００２】
　冒頭に述べた如き方法は、例えば心臓を休止相で示す心臓ＣＴ画像を形成する場合に適用される。
【０００３】
　公知の方法により、例えば石灰化指数（Ｃａｌｃｉｕｍ　Ｓｃｏｒｉｎｇ）の決定や冠状血管における狭窄症探査が可能であるほど僅かしか運動アーチファクトを持たない冠状血管のＣＴ画像を形成することは一般には可能でない。このような検査のために運動アーチファクトのないＣＴ画像内に撮像されなければならない心臓領域は、右冠動脈（ＲＣＡ＝Ｒｉｇｈｔ　Ｃｏｒｏｎａｒｙ　Ａｒｔｅｒｙ）、左大動脈（ＬＭ＝Ｌｅｆｔ　Ｍａｉｎ）、左回旋枝（ＬＣＸ＝Ｌｅｆｔ　Ｃｉｒｃｕｍｆｌｅｘ）および左前下行枝（ＬＡＤ＝Ｌｅｆｔ　Ａｒｔｅｒｙ　Ｄｅｓｃｅｎｄｅｎｔ）である。上記の４つの領域については１つの心周期中の空間運動の速度および位相が異なる。
【０００４】
　心臓の拡張相の状態は、例えば検査中に取得された患者の心電図信号から評価することができ、心室とＬＭおよびＬＡＤは心拡張期中には十分に静止しており、心臓の運動アーチファクトのない表示に必要なデータを心電図同期にてアキシャルスキャンの形で取得することは通常行われている進行形式である。さらに、まずデータを取得し、このデータ取得と同時に、リトロスペクティブに心電図信号により心拡張期中に取得したデータを求めるために心電図信号を記録し、これらのデータに基づいて画像を再構成することが知られている。
【０００５】
　心拡張期中に求めたデータに基づく心臓画像の再構成は一般にＲＣＡおよびＬＣＸの鮮明な写像を可能にしない。なぜならば、それらの運動は心拡張期において著しいことがあり得るからである。ただ電子線ビーム型コンピュータ断層撮影装置（ＥＢＴ）を用いてのみ、この装置における１断層当たりの短いスキャン時間（１００ｍｓ）により、時には、前述の４つの血管が僅かしか運動をしない心周期の１つの位相内に１つの測定インターバルを見つけ出すことができる。もちろん、高い脈拍数を持つ患者については大概うまくいかない。１断層当たり３３０ｍｓを下回らないスキャン時間を有する今日では通常の在来のＣＴ装置によると、低い脈拍数を持つ患者についてすら、上述の全ての領域が比較的僅かの運動を有する測定インターバルを見つけ出すことは不可能である。
【発明の開示】
【発明が解決しようとする課題】
【０００６】
　本発明の課題は、冒頭に述べた種類の方法を、所望の領域に関して運動アーチファクトのないＣＴ画像を形成することが可能であるように構成することにある。さらに、本発明の他の課題は、かかる方法を実施するためのＣＴ装置を提供することにある。
【課題を解決するための手段】
【０００７】
　方法に関する課題は、本発明によれば、ＣＴ画像形成のために検査すべき生物の身体の周りを移動するＸ線源を備えたＣＴ装置により生物の周期的に運動する器官のＣＴ画像を形成する方法であって、器官が休止相および運動相を持つ領域を有し、器官の異なる領域の休止相が異なる時点で発生する器官のＣＴ画像形成方法において、
ａ）被検体の周りを回転するＸ線源の少なくとも１回転中かつ運動の少なくとも１周期に等しい持続時間中に、画像形成に用いる複数の投影を撮像をし、
ｂ）投影に対応するデータを、このデータが器官のそれぞれの関心領域における休止相の期間中に得られたか又は運動相の期間中に得られたかの観点から分析し、
ｃ）器官のそれぞれの関心領域における休止相の期間中に得られたデータのみを使用して器官の画像を再構成する
ことによって解決される。
【０００８】
　従って、本発明による方法によれば、明らかに、器官の任意の領域を休止相で表示する器官のＣＴ画像を形成することが可能である。それゆえ、心臓の場合、心臓の特有の休止相で全ての関心血管を表示することが可能である。必要なら、種々の心位相（心時相とも呼ばれる）において再構成されたＣＴ画像により、休止相における個別の血管を表示するＣＴ画像に基づいて全ての血管についての総合診断が可能である。必要な投影は、例えば１列又は複数列の検出器要素を備えた検出器システムを有するＣＴ装置により撮影されるスパイラルスキャンから得られる。
【０００９】
　本発明による変形例によれば、投影に対応するデータの分析は、器官の複数の関心領域に関して、該データが器官のそれぞれの関心領域における休止相の期間中に得られたか又は運動相の期間中に得られたかの観点から該データを分析することを含み、器官の全ての関心領域に関して、器官のそれぞれの関心領域における休止相の期間中に得られたデータのみを使用して器官の１つの画像がそれぞれ再構成され、器官の全ての関心領域をそれぞれの休止相で含んでいる画像が、器官の個々の関心領域における休止相を表わす画像から形成される。従って、このようにして得られた画像は、全ての関心領域を、つまり例えば心臓の上述した４つの動脈をそれぞれの休止相で表示し、従って唯一の画像では利用できない情報を提供する。
【００１０】
　どのデータが器官の関心領域における休止相の期間中に得られ、どのデータが器官の関心領域における運動相の期間中に得られたかを識別するために、本発明の変形例によれば、器官の関心領域を表示する画像範囲について一連の短い連続するテスト画像における運動アーチファクトが検出される。その場合、器官のそれぞれの関心領域を表示する画像範囲において少なくともほぼ運動アーチファクトのないテスト画像に寄与したデータが、器官のそれぞれの関心領域における休止相の期間中に得られたデータとして見なされる。その場合、線状アーチファクトおよび／または二重輪郭が運動アーチファクトを示唆するものとして考慮することによって、運動アーチファクトを検出することができる。しかしながら、運動アーチファクトの検出は連続するテスト画像の減算によって得られた差像に基づいて行なうこともできる。必要なテスト画像を速やかに使えるようにするために、テスト画像の再構成は低減した計算パワーおよび／または分解能でおよび／または部分回転再構成として行なわれる。
【００１１】
　運動アーチファクトを基にした休止相および運動相の検出のための代替として、画像形成に用いられる複数の投影の撮像と同時に、器官の周期的な運動を反映する生理学的関数を表わす信号の検出が行なわれる。投影に対応するデータが器官の関心領域における休止相の領域内で得られたか又は運動相の領域内で得られたかの観点から行われる該データの分析は、生理学的関数を表わす信号の時間的経過に対するデータの時間的割り付けを含む。それぞれの関心領域が休止相にあることを示す信号の経過を有する時間インターバル中に得られたデータが、器官のそれぞれの関心領域における休止相の期間中に得られたデータとして見なされる。従って、生理学的関数を表わす信号を基にして、後で、それぞれの関心領域を休止相で表わすデータが選択され、かかるデータのみが画像再構成に利用される。
【００１２】
　それにともない、心臓のＣＴ画像を形成する場合、本発明の変形例によれば、投影の撮像中に生物の心電図が検出され、心臓のそれぞれの関心領域に関して、それぞれ２つの連続する心電図Ｒ波の間にある利用可能な少なくとも１つの時間インターバルが同定される。その利用可能な時間インターバル中に得られたデータは、心臓のそれぞれの関心領域における休止相の期間中に得られたものとして見なされ、画像再構成のために利用される。
【００１３】
　心臓活動の周期時間は一定ではないことから、本発明の変形例によれば、利用可能な時間インターバルとして、それぞれの心周期の予め与えられた第１の部分をそれぞれの心周期を導入する心電図Ｒ波の後に開始しそれぞれの心周期の予め定められた第２の部分に等しい持続時間を有する時間インターバルが同定される。
【００１４】
　患者への被曝線量をできるだけ少なくするために、本発明の変形例によれば、生理的関数を表す信号に対して閾値基準が設定され、その閾値基準が満たされた際に器官のそれぞれの関心領域が休止相にあり、画像形成に必要な投影の撮像のために、閾値基準が満たされている時間中のみＸ線源が作動させられる。
【００１５】
　　ＣＴ装置に関する課題は、本発明によれば、検査すべき生物の周りを移動するＸ線源を備えたＣＴ装置であって、ＣＴ装置は、検査すべき生物の周りを回転するＸ線源の少なくとも１回転中かつ生物の周期的に運動する器官における運動の少なくとも１周期に等しい持続時間中に、複数の投影を撮像し、第１の作動様式において、ＣＴ装置はテスト画像を投影から再構成し、ＣＴ装置は、テスト画像の表示手段と、テスト画像に運動アーチファクトなしのしるしを付すことができる入力手段とを有し、ＣＴ装置は運動アーチファクトなしとして同定されたテスト画像を基にして休止相の期間中のデータの取得を可能にする少なくとも１つの利用可能な時間インターバルを同定し、第２の作動様式において、ＣＴ装置は画像形成に用いられるデータを取得し、休止相の期間中に取得されたデータのみを画像再構成に利用する解決される。それゆえ、使用者は、多数のテスト画像のもとに運動アーチファクトのないテスト画像を選択することができる。このようにして選択されたテスト画像に基づいて、ＣＴ装置は、休止相の期間中のデータを取得することのできる少なくとも１つの利用可能な時間インターバルを同定し、画像再構成に利用する。
【発明を実施するための最良の形態】
【００１６】
　以下において、実施例および添付された概略図に基づいて本発明をさらに詳細に説明する。図１および図２は心臓の休止相の異なる２つの領域を具体的に示すＣＴ画像であり、図３乃至図７は1心周期内における心臓の異なる領域の運動速度を表示する定性的ダイアグラムであり、図８は患者の心電図信号の経過と図３乃至図７による心臓の異なる領域に適した再構成位相を示すダイアグラムであり、図９は部分的にブロック図を含む本発明による方法を実施するためのＣＴ装置を示す概略図である。
【００１７】
　図１および図２から明らかのように、それぞれ考察されているスライス面における冠状血管および心室の空間運動は１心周期内で速度および位相がさまざまに変化する。図１および図２は心臓の同一のスライス面を示すが、しかしながら図１および図２のそれぞれの基礎になっているデータは１つの心周期内の異なる期間内に得られる。例えば、図１は心周期の全期間の約３０％後に開始し心周期の全期間の約７０％後に終了する心拡張期の休止相（３０％〜７０％Ｒインターバル）を示す。図２は心収縮期の収縮相（８０％−１２０％ＲＲインターバル）を示す。両画像は２５０ｍｓ時間分解能で再構成されている。
【００１８】
　図１に基づいて明白に認識できるように、心拡張期において心臓全体は左心室の領域が鮮明に見えるのに対して、ＲＣＡの表示は運動に起因する不鮮明によって強く影響されている。
【００１９】
　これに対して、心収縮期において再構成された図２による画像は、ＲＣＡを鮮明に示しているのに対して、左心室のまわりの領域は運動アーチファクトをともなっている。
【００２０】
　従って、左心室とＲＣＡとは明らかに位相がずれた運動をしている。これは他の冠状血管についても当てはまり、ＣＸとＲＣＡとはほぼ同相で運動し、これに対してＬＭとＬＡＤとは左心室とほぼ同相で運動する。
【００２１】
　これは図３〜図７において改めて具体的に示されており、これらの図は定性的ダイアグラムの形で心周期の期間中、すなわち心電図の２つの互いに隣り合うＲ波の間の期間中における心臓の異なる領域の運動速度を表示している。それぞれの領域の瞬時運動速度と最大運動速度との商（Ｖ／Ｖmax）が％で定めた心周期の期間（％ＲＲ）にわたって描かれている。
【００２２】
　全ての関心領域をアーチファクトなしに表示するためには、３図〜図７によれば、３０％ＲＲ位相〜６０％ＲＲ位相のみが考慮の対象となるが、しかしながら、この位相は特に高い脈拍数についてはＣＴ画像（コンピュータ断層撮影画像）の再構成に必要な全ての投影を撮影するためには十分ではない。
【００２３】
　本発明による方法によれば、今や、心臓の全ての関心領域を唯一の測定インターバル中に撮像しようとはしない。むしろ、第１の解決原理によれば、
ａ）心臓の回りを回転するＸ線源の少なくとも１回転中かつ少なくとも心周期の１周期に等しい持続時間中に、画像形成に用いる複数の投影を撮像し、
ｂ）投影に対応するデータを、このデータが心臓のそれぞれの関心領域における休止相の期間中に得られたか又は運動相の期間中に得られたかの観点から分析し、
ｃ）器官のそれぞれの関心領域における休止相の期間中に得られたデータのみを使用して器官の画像を再構成する、
ことが提案される。
【００２４】
　心臓の上述の領域に関しては、図８から明らかのように、特殊な再構成のために、ＬＡＤおよびＬＭについては（δ1，ε1）、ＲＣＡおよびＬＣＸについては（δ2，ε2）という２つの異なるインターバルが使用される。この場合、δnは心周期を導入するＲ波の発生に関連して始点を定め、εnはＲＲサイクルの期間ΔＴRRに関連してインターバルの期間を定める。
【００２５】
　図９には既述の方法を実施するためのＣＴ装置が概略的に示されている。
【００２６】
　ＣＴ装置は、Ｘ線ビーム束２を送出するＸ線源１と、ｚ軸方向に１つ又は複数の連続する列の個別検出器、例えば５１２個の個別検出器からなる検出器３とから構成されている。Ｘ線ビーム束２が出るＸ線源１の焦点は４で示されている。１列の個別検出器が動作するのか、それとも複数列の個別検出器が動作するのかに応じて、図９に示されていない第１ビーム絞りにより、Ｘ線ビーム束はファン状か、それともピラミッド状もしくは円錐状に絞り込まれる。
【００２７】
　被検体、図示の実施例では人間の患者５が、ガントリー８の測定開口７を通して延びている寝台６上に寝ている。
【００２８】
　ガントリー８においては、Ｘ線源１および検出器３が互いに対向して回転体１０に取り付けられている。この回転体１０は、ｚで示され図９の紙面に対して直角方向に延びるＣＴ装置のｚ軸（これはシステム軸線である。）の周りを回転可能に支持され、α方向における患者５の走査のために、ｚ軸の周りをαで示された矢印の方向に、少なくとも１８０°（π）にファン角（ファン状のＸ線ビーム束２の開き角度）を加えた角度（１８０°＋ファン角）だけ回転させられる。その場合に、発電機装置９により作動されるＸ線源１から出るＸ線ビーム束２は円形横断面の測定領域を捕捉する。Ｘ線源１の焦点４は、ｚ軸上にある回転中心の周りに円形に湾曲した焦点軌道１５上を移動する。
【００２９】
　測定ユニット１，３の予め定められた角度位置いわゆる投影角において、いわゆる投影の形で測定値が取得され、検出器３からの対応する測定データは電子コンピュータ１１に達する。コンピュータ１１は、投影に対応する測定点列から画像点マトリックスの画像点の減弱係数を再構成し、これを表示装置、例えばモニタ１２に画像再生し、それによりモニタ１２には投影によって捕捉された患者５の断層画像が現われる。
【００３０】
　検出器３が複数列の検出器要素を有する場合、必要ならば、患者５の多数の断層が同時に撮影され、その際に、投影角当たり、活性検出器列の数に相当する数の投影が撮影される。
【００３１】
　ガントリー８に付設された駆動装置１３がガントリー８の部分回転又は全回転のために十分であるばかりか、ガントリー８を連続的に回転させるのにも適し、さらに、一方では寝台６およびそれにともなう患者５と、他方では測定ユニット１，３を備えたガントリー８とのｚ軸方向への相対移動を可能にする別の駆動装置が設けられているならば、いわゆるスパイラルスキャンも実施することができる。
【００３２】
　心臓の検査又は心臓動作のリズムで運動する患者５の身体領域の検査を実施するために、図９によるＣＴ装置はさらに公知の心電図装置１７を有する。心電図装置１７は、電極（図９には電極の一方が示されていて参照番号１８を付されている）を介して患者５に接続することができ、ＣＴ装置による検査に並行して被検体のＥＣＧ信号（心電図信号）を検出するのに役立つ。心電図装置１７はＥＣＧ信号に相当する、とりわけディジタルのデータを供給する。
【００３３】
　心電図装置１７の電極は患者５の検査を妨げないように患者５の身体に取り付けられている。
【００３４】
　電子コンピュータ１１には、ＣＴ装置の操作を可能にするキーボード１９およびマウス２０が接続されている。さらに、電子コンピュータ１１には患者５の心電図を表示することができるモニタ２１が接続されている。
【００３５】
　上述のＣＴ装置の本発明による方法に基づく第１の作動様式の場合、操作者がマウス２０によりモニタ２１上でＣＴ画像内に表示されるべき心臓の領域の休止相に対応する心電図周期の範囲にマークをつける。
【００３６】
　それゆえ、患者５の心電図において、心臓のそれぞれの関心領域に関して、心電図の２つの連続したＲ波の間にある利用可能な時間インターバルがマークされ、そのうえで電子コンピュータ１１は画像再構成時に個々の心周期においてそれぞれ利用可能な時間インターバル中に得られたデータのみを利用する。これらのデータを電子コンピュータ１１は休止相の期間中に得られたものと見なす。
【００３７】
　上述のＣＴ装置の場合、電子コンピュータ１１は、マウス２０によりモニタ２１に利用可能な時間インターバルとしてマークした１心周期内の時間インターバルの位置および期間を、一方では心周期を開始するＲ波と利用可能な時間インターバルの開始との後に経過するそれぞれの心周期の第１部分によって特徴付け、他方では第１部分に続き利用可能な時間インターバルの持続時間に相当するその心周期の第２部分によって特徴付ける。
【００３８】
　このようにして、心周期が変動する場合にも、撮影された投影に対応するデータを、該データが心臓のそれぞれの関心領域における休止相の期間中に得られたか又は運動相の期間中に得られたかの観点から分析することが可能である。その際、電子コンピュータ１１は利用可能な時間インターバル中に得られたデータを休止相の期間中に得られたデータとみなし、既に述べたように該データのみをＣＴ画像の再構成に使用する。
【００３９】
　上記ＣＴ装置の代替としての第２の作動様式において、投影に対応するデータの分析は、心臓のそれぞれの関心領域の休止相の期間中に得られたか又は運動相の期間中に得られたかの観点から、テスト画像における運動アーチファクトを検出することに基づいている。
【００４０】
　利用できるデータから時間的に短い連続する多数のテスト画像が再構成され、これらのテスト画像は運動アーチファクトに基づいて分析される。
【００４１】
　これは、電子コンピュータ１１が線状アーチファクトおよび／または二重輪郭の存在についてテスト画像を検査し、線状アーチファクトおよび／または二重輪郭の存在を運動アーチファクトを示唆するものとみなすことによって行なわれる。
【００４２】
　続いて電子コンピュータ１１は、少なくとも心臓のそれぞれの関心領域を表示する画像範囲において少なくともほぼ運動アーチファクトのないテスト画像に寄与したデータを、心臓のそれぞれの関心領域における休止相の期間中に得られたものとして考慮し、かかるデータのみを本来の画像再構成に利用する。
【００４３】
　第２の作動様式の変形例では、電子コンピュータ１１が連続するテスト画像の減算によって得られた差像を基にして運動アーチファクトを検出する。運動アーチファクトがない場合、差像は理論上いかなる画像情報も持たない。
【００４４】
　テスト画像の再構成のための時間浪費を少なくするためには、電子コンピュータ１１がテスト画像の再構成を低減した計算パワーおよび／または低減した分解能で行なうか、および／または部分回転再構成として行なうとよい。
【００４５】
　第２の作動様式に似ている第３の作動様式においては、電子コンピュータ１１は本来の画像の再構成に基づいている同じデータから再構成するではなくて、撮影モードに先行したテストモードの期間中に取得されたデータから再構成する。
【００４６】
　撮影モードのできるだけ直前に行なわれるべきテストモードの期間中に、心電図の同時記録のもとで投影が撮像され、これらの投影からテスト画像が再構成され、モニタ１２に表示される。操作者はこれらの画像を評価し、心臓のそれぞれの関心領域に関して運動アーチファクトがないと識別した画像にマウス２０により印を付ける。このように印を付けられたテスト画像の心電図に対する時間的位置に基づいて、電子コンピュータ１１は、ＥＣＧ信号をもとにそれぞれの関心領域に関して利用可能な時間インターバルを求め、それぞれの関心領域の休止相をはっきり示す。心周期内でのその時間インターバルの位置および持続時間は、既に説明したように、心周期の第１部分および第２部分によって規定することができる。
【００４７】
　続く撮影モードにおいては、本来の画像形成に役立つ投影が撮像され、これらの撮影のうちから、電子コンピュータ１１は、それぞれ、既に述べたようにテスト画像を基にして求められた利用可能な時間インターバル中に、つまり関心領域の休止相の期間中に撮影された投影のみを、それぞれの関心領域の画像再構成に利用する。
【００４８】
　患者に不要なＸ線量が照射されないようにするためには、既述の全ての作動様式において、電子コンピュータ１１が、ＥＣＧ信号に基づいてそれぞれの関心領域が休止相にあるチャンスが大体において存在するときのみＸ線源１を動作させるモードが選択される。
【００４９】
　このために、電子コンピュータ１１は、ＥＣＧ信号を閾値と比較し、閾値が下回られているときのみＸ線源１を動作させるように発電機装置９を制御する。
【００５０】
　さらに、全ての作動様式の場合において、心臓の複数の領域に関するデータを、それらのデータがそれぞれの関心領域における運動相の期間中に得られたか又は休止相の期間中に得られたかの観点から分析することができ、その結果、例えば第１および第２の関心領域に関して心臓の第１もしくは第２の関心領域における休止相の期間中で得られた信号のみに基づいてＣＴ画像を再構成することができる。その後、これらの両ＣＴ画像は、第１の関心領域も第２の関心領域も休止相で表示されている唯一の画像に統合される。
【００５１】
　このために、電子コンピュータ１１が例えば両画像をモニタ１２に表示することにより、操作者がマウス２０により両画像のうち１つの共通画像に統合されるべき領域をマークすることができ、これに基づいて電子コンピュータ１１は統合された画像を表示する。
【００５２】
　もちろん、この進行形式は３つ以上の関心領域についても適用することができる。
【００５３】
　本発明は、以上においては心臓の検査の例で説明したが、しかしながら生物における他の周期的に運動する器官を検査する場合にも適用することができ、本願の枠内における用語“器官”は広義に、つまり身体領域の意味に解釈すべきである。
【図面の簡単な説明】
【００５４】
【図１】心臓のＣＴ画像を示す図
【図２】図１とは異なる位相における心臓のＣＴ画像を示す図
【図３】左心室の運動速度の経過図
【図４】ＲＣＡの運動速度の経過図
【図５】ＬＡＤの運動速度の経過図
【図６】ＬＭの運動速度の経過図
【図７】ＬＣＸの運動速度の経過図
【図８】患者の心電図信号の経過図および心臓の異なる領域の好適な再構成位相を示すための運動速度の経過図
【図９】本発明による方法を実施するためのＣＴ装置を示す概略図
【符号の説明】
【００５５】
　１　　　　Ｘ線源
　２　　　　Ｘ線ビーム束
　３　　　　検出器
　４　　　　焦点
　５　　　　患者
　６　　　　寝台
　７　　　　測定開口
　８　　　　ガントリー
　９　　　　発電機装置
１０　　　　回転体
１１　　　　電子コンピュータ
１２　　　　モニタ
１３　　　　駆動装置
１５　　　　焦点軌道
１７　　　　心電図装置
１８　　　　電極
１９　　　　キーボード
２０　　　　マウス
２１　　　　モニタ
【図１】
2004121840.tif 000003
【図２】
2004121840.tif 000004
【図３】
2004121840.tif 000005
【図４】
2004121840.tif 000006
【図５】
2004121840.tif 000007
【図６】
2004121840.tif 000008
【図７】
2004121840.tif 000009
【図８】
2004121840.tif 000010
【図９】
2004121840.tif 000011